(57)【要約】【課題】  空気ホースの長さを短くして、タイムラグを許容範囲内におさめることのできる電気抵抗溶接機の部品供給装置を提供する。【解決手段】  部品１をエアシリンダ１９によって進退する供給ロッド１４に保持して電気抵抗溶接機５の固定電極８へ供給する部品供給ユニット１００と、この部品供給ユニット１００を静止部材１２に取付ける取付け金具４５と、この取付け金具４５に取付けられているとともに、エアシリンダ１９に空気ホース４２，４３を介して作動空気を吸排させる空気切換弁ユニット２００を備えている。これによって、空気ホース４２，４３の長さを短くすることができ、タイムラグが許容範囲内となる。【選択図】図１
2008290147.tif 000002
【特許請求の範囲】
【請求項１】
部品をエアシリンダによって進退する供給ロッドに保持して電気抵抗溶接機の電極へ供給する部品供給ユニットと、この部品供給ユニットを静止部材に取付ける取付け金具と、この取付け金具に取付けられているとともに、前記エアシリンダに空気ホースを介して作動空気を吸排させる空気切換弁ユニットを備えていることを特徴とする電気抵抗溶接機の部品供給装置。
【請求項２】
前記取付け金具は、長尺な部材を所要の形状に屈曲させた形状とされ、少なくとも前記部品供給ユニットが取付けられる第１部材と、前記空気切換弁ユニットが取付けられる第２部材によって構成されている請求項１記載の電気抵抗溶接機の部品供給装置。
【請求項３】
前記第１部材は、ほぼ水平方向に配置した横部材であり、前記第２部材は、ほぼ鉛直方向に配置した縦部材である請求項２記載の電気抵抗溶接機の部品供給装置。
【請求項４】
前記第１部材と第２部材は、ほぼ直交した状態で一体化されている請求項２または請求項３記載の電気抵抗溶接機の部品供給装置。
【請求項５】
前記取付け金具を静止部材に取付ける固定部材は、前記第２部材に固定されている請求項２〜請求項４のいずれかに記載の電気抵抗溶接機の部品供給装置。
【請求項６】
前記固定部材よりも上側の第２部材にブラケット部材が取付けられ、このブラケット部材に空気切換弁ユニットが取付けられている請求項５記載の電気抵抗溶接機の部品供給装置。
【請求項７】
前記固定部材は空気切換弁ユニットの下端部よりも上側に配置されている請求項５または請求項６記載の電気抵抗溶接機の部品供給装置。
【発明の詳細な説明】
【技術分野】
【０００１】  この発明は、空気切換弁ユニットの配置を合理的に行った電気抵抗溶接機の部品供給装置に関している。
【背景技術】
【０００２】  エアシリンダによって進退動作をする供給ロッドに、プロジェクションナット等の部品を保持して、電気抵抗溶接機の電極に供給することが行われている。このような部品供給ユニットは、長尺な部材で構成された取付け金具によって溶接機本体等の静止部材に固定されている。
【特許文献１】特開平９−５７４５８号公報
【発明の開示】
【発明が解決しようとする課題】
【０００３】  上述のような部品供給ユニットのエアシリンダと空気切換弁ユニットとが空気ホースで接続され、作動空気の吸排を行っている。ところが、電気抵抗溶接機の周辺には、鋼板部品を移動させるロボット装置が配置されていたり、電気抵抗溶接機本体に要するスペースを少なくするために、この本体をスリムな構造にしたりするので、空気切換弁ユニットの配置箇所が制約されている。したがって、上記特許文献１においては、電気抵抗溶接機本体から離れた箇所に配置されたパーツフィーダの支持台に、空気切換弁ユニットが取付けられている。【０００４】  このようにパーツフィーダの支持台に空気切換弁ユニットが取付けられていると、空気切換弁ユニットからエアシリンダにいたる空気ホースの長さが著しく長くなる。そのために、エアシリンダへの作動空気が圧縮性流体であること、空気ホース内の空間容積が大きくなること、空気ホース自体が空気圧で膨張すること等が要因になって、空気切換弁ユニットの切換時点からエアシリンダが始動するまでの遅れ時間が長期化する。このようなタイムラグは、空気ホースが長くなればなるほど大きくなる。【０００５】  空気ホースが過長になって前記タイムラグが一定時間を超えると、部品供給ユニットの動作時間が長くなり、生産性の低下を招くこととなる。さらに、生産ラインにおいては、溶接工程の前後の工程との関係で溶接工程の動作に与えられる時間が所定時間に設定されており、この所定時間内に溶接を完了させることが必要である。しかし、前記ラグタイムが過長になると、供給ロッドが最前進位置まで進出後、部品（プロジェクションナット等）が電極のガイドピンに移載される時間が著しく短くなるので、部品の移載ミスが発生するおそれがある。【０００６】  また、電極に溶接電流が通電されるときには、周辺に強度の磁気的影響を及ぼすので、上記特許文献１に開示されているような空気切換弁ユニットの配置であると、空気切換弁ユニットの動作が磁気的弊害をうけることとなり、空気切換弁ユニットの動作信頼性に悪影響を及ぼす。さらに、溶接時のスパッタの飛散から空気切換弁ユニットを保護するような配慮が必要である。【０００７】  本発明は、上記の問題点を解決するために提供されたもので、空気ホースの長さを短くして、前記タイムラグを許容範囲内におさめることのできる電気抵抗溶接機の部品供給装置の提供を目的とする。
【問題を解決するための手段】
【０００８】  請求項１記載の発明は、部品をエアシリンダによって進退する供給ロッドに保持して電気抵抗溶接機の電極へ供給する部品供給ユニットと、この部品供給ユニットを静止部材に取付ける取付け金具と、この取付け金具に取付けられているとともに、前記エアシリンダに空気ホースを介して作動空気を吸排させる空気切換弁ユニットを備えていることを特徴とする電気抵抗溶接機の部品供給装置である。
【発明の効果】
【０００９】  上述のように、空気切換弁ユニットが、部品供給ユニットを静止部材に固定する取付け金具に取付けられている。したがって、空気切換弁ユニットの取付け箇所をエアシリンダにできるだけ近づけて確保することが容易に実現し、前述のような空気切換弁ユニットの配置上の制約を解消することができる。そして、空気切換弁ユニットとエアシリンダを接続する空気ホースの長さが短くなり、それによって、空気切換弁ユニットの切換時点からエアシリンダが始動するまでの遅れ時間を許容範囲内に短縮することができる。このようなことから溶接時間の短縮による生産性の向上と、与えられた所定時間内に部品が前述のような動作ミスをすることなく、電極への安定した移載が確保できる。
【００１０】  また、前記取付け金具に空気切換弁ユニットが取付けられているので、空気切換弁ユニットを電極から離隔した箇所に配置することが容易にできる。したがって、電極に溶接電流が通電されるときに発生する周辺への強度の磁気的影響を回避することが可能となる。通常、空気切換弁ユニットは電磁ソレノイドで動作するので、このような磁気的影響を回避することが重要である。さらに、溶接時のスパッタの飛散から空気切換弁ユニットを保護することが可能となる。
【００１１】  請求項２記載の発明は、前記取付け金具は、長尺な部材を所要の形状に屈曲させた形状とされ、少なくとも前記部品供給ユニットが取付けられる第１部材と、前記空気切換弁ユニットが取付けられる第２部材によって構成されている請求項１記載の電気抵抗溶接機の部品供給装置である。
【００１２】  このように長尺な部材によって第１部材と第２部材が構成され、これらにそれぞれ部品供給ユニットと空気切換弁ユニットが取付けられているので、部品供給ユニットのエアシリンダと空気切換弁ユニットとの間隔を短くすることができ、空気ホースを短くすることが可能となる。また、取付け金具は所要の形状に屈曲されているので、部品供給ユニットと空気切換弁ユニットとの相対位置関係を周辺の関連部材に適応した状態に設定することができる。
【００１３】  請求項３記載の発明は、前記第１部材は、ほぼ水平方向に配置した横部材であり、前記第２部材は、ほぼ鉛直方向に配置した縦部材である請求項２記載の電気抵抗溶接機の部品供給装置である。
【００１４】  上述のように、ほぼ水平方向の横部材に部品供給ユニットが取付けられ、ほぼ鉛直方向の縦部材に空気切換弁ユニットが取付けられている。したがって、部品供給ユニットと空気切換弁ユニットは横と縦との関係になった横部材と縦部材によって相対位置が設定できるので、エアシリンダと空気切換弁ユニットとを接続する空気ホースを短く設定することができる。さらに、空気切換弁ユニットが縦部材に取付けられているので、その位置を上方へ設定することにより、電極の通電溶接部分から大幅に離隔させることができ、電極からの磁気的影響を回避することができる。同時に、前記離隔によって、スパッタが空気切換弁ユニットに到達することを防止することができ、空気切換弁ユニットの保護が適正になされる。
【００１５】  請求項４記載の発明は、前記第１部材と第２部材は、ほぼ直交した状態で一体化されている請求項２または請求項３記載の電気抵抗溶接機の部品供給装置である。
【００１６】  前記第１部材と第２部材がほぼ直交しているので、この直交関係を基準にして空気切換弁ユニットと部品供給ユニットとの相対位置関係を、所要の状態にすることが容易に実施できる。
【００１７】  請求項５記載の発明は、前記取付け金具を静止部材に取付ける固定部材は、前記第２部材に固定されている請求項２〜請求項４のいずれかに記載の電気抵抗溶接機の部品供給装置である。
【００１８】  空気切換弁ユニットが取付けられる第２部材の部分が、固定部材を介して静止部材に結合される。したがって、空気切換弁ユニットは固定箇所である固定部材に近い部位に結合されるので、空気切換弁ユニット全体の結合強度を高く維持することができ、装置全体の強度を向上させるのに効果的である。
【００１９】  請求項６記載の発明は、前記固定部材よりも上側の第２部材にブラケット部材が取付けられ、このブラケット部材に空気切換弁ユニットが取付けられている請求項５記載の電気抵抗溶接機の部品供給装置である。
【００２０】  このように空気切換弁ユニットは、固定部材よりも上側に配置したブラケット部材に結合されているので、空気切換弁ユニットを電極からできるだけ離隔させて配置することができ、前述の磁気的影響やスパッタ飛散に対して効果的である。
【００２１】  請求項７記載の発明は、前記固定部材は空気切換弁ユニットの下端部よりも上側に配置されている請求項５または請求項６記載の電気抵抗溶接機の部品供給装置である。
【００２２】  部品供給ユニットの取付けスペースを考慮すると、第２部材側に結合される関連部材すなわち空気切換弁ユニットや固定部材等はコンパクトにまとめる必要がある。上述のように、固定部材を空気切換弁ユニットの下端部よりも上側に配置することにより、固定部材の存在が部品供給ユニットの取付けスペースに制約を及ぼすことがなくなり、装置全体の小型化にとって有効である。
【発明を実施するための最良の形態】
【００２３】  つぎに、本発明の電気抵抗溶接機の部品供給装置を実施するための最良の形態を説明する。
【実施例１】
【００２４】  図１〜図４は、実施例１を示す。【００２５】  溶接装置全体について説明する。【００２６】  図４は、溶接装置全体を系統的に示す正面図である。なお、ここでは部品供給ユニットや空気切換弁ユニットの取付け構造は図示されていない。【００２７】  本発明における部品は、エアシリンダの進退動作で供給ロッドにより電気抵抗溶接機の電極に供給されるものであり、プロジェクションナットのような孔あき部品やプロジェクションボルトのような軸状部品等である。孔あき部品の場合には、供給ロッドが部品の孔を串刺しにして供給動作が行われる。また、軸状部品の場合には、供給ロッドの先端部分に磁石等の保持手段を備えた保持部が形成されて、供給動作が行われる。【００２８】  本実施例における部品は、プロジェクションナット１である。このプロジェクションナット１は、通常の四角型のものである。すなわち、プロジェクションナットは鉄製であり、四角い形状の本体２の中央部にねじ孔３が形成され、四角い本体の片側の四隅に溶着用突起４が形成されている。前記四角い形状は、ねじ孔の軸線方向から見ると正方形である。各部の寸法は、正方形の一辺が１１ｍｍ、ねじ孔の軸方向の厚さが５ｍｍ、ねじ孔の内径が５ｍｍである。なお、以下の説明において、プロジェクションナットを単にナットと表現する場合もある。【００２９】  電気抵抗溶接機について説明する。【００３０】  電気抵抗溶接機はその全体が符号５で示され、進退動作をする可動電極６と鋼板部品７が載置される固定電極８が電極軸線Ｏ−Ｏ上に配置されている。固定電極８にはガイドピン９が設けられ、これが鋼板部品７の下孔１０を貫通し突出している。図１に示すように、可動電極６はエアシリンダ１１によって進退する。このエアシリンダ１１は静止部材である溶接機本体１２に結合されている。【００３１】  つぎに、部品供給ユニットについて説明する。【００３２】  部品供給ユニット全体は、符号１００で示されている。【００３３】  ナット１は、供給ロッド１４によってガイドピン９に供給される。供給ロッド１４は、ナット１のねじ孔３を貫通するガイドロッド１５と、ガイドロッド１５よりも大径の摺動ロッド１６と、ガイドロッド１５と摺動ロッド１６との境界部に形成された押出し面１７によって構成されている。供給ロッド１４は、ガイド筒１８内に収容され、摺動ロッド１６がガイド筒１８内を摺動自在に進退できる状態とされている。ガイド筒１８にエアシリンダ１９が結合され、そのピストンロッド１３が摺動ロッド１６に結合されている。【００３４】  前記ガイド筒１８の端部にステンレス鋼製の供給管２０が溶接されることによって、仮止室２１が形成されている。この仮止室２１の内面を形成するストッパ片２２がガイド筒１８に溶接され、そこにナット１が受け止められるようになっている。ナット１を一時係止するために永久磁石２３がストッパ片２２に埋設してある。前記供給管２０は、合成樹脂製の供給ホースによってパーツフィーダ２４に接続されている。パーツフィーダ２４から送出されたナット１は、供給管２０を経て仮止室２１内に送り込まれ、永久磁石２３の吸引力でストッパ片２２に吸引保持がなされる。【００３５】  そして、部品供給ユニット１００は、静止部材２５に対して後述の取付け金具によって固定されている。【００３６】  ナット１がストッパ片２２に保持されているときには、ナット１のねじ孔３とガイドロッド１５とが同軸の状態になっている。ここでエアシリンダ１９の動作で供給ロッド１４が進出すると、ねじ孔３をガイドロッド１５が貫通し、その後、押出し面１７が本体２の上面を押してナット１は仮止室２１から押し出されて行く。ナット１が押し出されて行くときには、ストッパ片２２をナット１が摺動しながら押し出されて行く。そして、ガイドロッド１５の先端部がガイドピン９の直前で停止すると、ナット１はガイドロッド１５に沿って滑動し、ガイドピン９に合致する。この合致はガイドピン９が相対的にねじ孔３貫通した状態である。その後、エアシリンダ１１の動作で可動電極６が進出し、ナット１を鋼板部品７に加圧し溶接電流が通電されて溶接がなされる。【００３７】  上述の動作において、ナット１がガイドロッド１５に沿って滑動しガイドピン９にはめ込まれるためには、供給ロッド１４が最前進位置まで進出した時点から所定の時間、例えば、０．５秒の時間が確保されていることが重要である。この時間が不足すると、ナット１がガイドピン９に移載されるまでに供給ロッド１４が後退をすることとなるので、ナット１がガイドピン９に嵌り合わないこととなり、ナットの供給安定性が得られないこととなる。上述のような時間の不足は、前述の「遅れ時間」が過長になることが原因になっている。【００３８】  つぎに、空気切換弁ユニットについて説明する。【００３９】  空気切換弁ユニット全体は、符号２００で示されている。【００４０】  空気切換弁ユニット２００は、空気供給源から送られてきた作動空気を各エアシリンダに対して吸排する分配機能を果たすものであり、種々な構造のものが採用できる。【００４１】  基板２７に、エアフィルター等を備えた調圧装置２８が取付けられている。この調圧装置２８は、一般的に使用されているものであり、エアフィルター２９、調圧弁３０、調圧用の回転つまみ３１、圧力表示メータ３２、入り口管３３、出口ホース３４等から構成されている。基板２７に切換弁３６が固定され、前記出口ホース３４からの作動空気が各エアシリンダに分配されるようになっている。図示の場合は、切換弁３６が３個取付けられているもので、その内の１つがエアシリンダ１９に作動空気の吸排を行っている。他の２つは図示されていない他のエアシリンダに作動空気の吸排を行っている。【００４２】  切換弁３６は、弁本体３７とそれを駆動する電磁ソレノイド３８から構成され、作動電流を電磁ソレノイド３８に供給する結線３９が制御装置（図示していない）から延びてきている。なお、弁本体３７は進退動作で作動空気の吸排切換を行うスプールバルブであり、一般的に使用されているものである。弁本体３７には２つの接手管４０，４１が設けられている。【００４３】  接手管４０とエアシリンダ１９の上端部との間が空気ホース４２で接続されている。同様に、接手管４１とエアシリンダ１９の下端部との間が空気ホース４３で接続されている。空気ホース４２，４３は断面円形で二重構造の合成樹脂製であり、内側がウレタン樹脂で構成され外側が合��ゴム製の保護層で構成されている。そして、内径４ｍｍ、外形６ｍｍである。また、エアシリンダ１９に供給される空気圧は、４Ｋｇ／ｃｍ２である。【００４４】  そして、空気切換弁ユニット２００は、静止部材２５に対して後述の取付け金具によって固定されている。【００４５】  つぎに、取付け金具について説明する。【００４６】  前記静止部材２５が取付け金具４５である。この取付け金具４５は、長尺な部材を所要の形状に屈曲させたものであり、ここでは断面円形の鉄製の棒材で作られている。そして、少なくとも前記部品供給ユニット１００が取付けられる第１部材４６と、空気切換弁ユニット２００が取付けられる第２部材４７によって構成されている。前記第１部材４６と第２部材４７はほぼ直交した状態で一体化され、第１部材４６はほぼ水平方向に配置した横部材であり、第２部材４７はほぼ鉛直方向に配置した縦部材である。横部材と縦部材にも第１部材と第２部材と同様な符号４６と４７が付してある。【００４７】  図１に示すように、前記縦部材４７が固定部材４８を介して静止部材である溶接機本体１２に固定してある。固定部材４８の断面形状は図２（Ｃ）に示されている。取付け板４９がボルト５０で溶接機本体１２に固定され、この取付け板４９にクランプ部材５１が一体化されている。このクランプ部材５１には縦部材４７が貫通するクランプ孔５２があけられ、外部からクランプ孔５２に連通した状態で締め付け空間５３が形成してある。この締め付け空間５３の部分を貫通する締め付けボルト５４がクランプ部材５１にねじ込まれている。【００４８】  締め付けボルト５４を緩めておいて縦部材４７の上下位置や回転方向の位置を決め、その後、締め付けボルト５４を締め付けると、縦部材４７にクランプ孔５２の内面が圧接して縦部材４７すなわち取付け金具４５が溶接機本体１２に固定される。【００４９】  上述の締め付けボルト５４を締め付けると縦部材４７がクランプ孔５２の内面で締め付けられる構造が「クランプ構造部」であり、これには符号５５が付されている。このクランプ構造部５５は、後述の他の結合部分においても採用され、その構造部分には符号５５が付されている。【００５０】  固定部材４８の上側の縦部材４７にブラケット部材５７が固定されている。このブラケット部材５７は図２（Ａ），（Ｄ）および（Ｂ）に示すように、厚板を細長く形成した形状であり、その端部に設けたクランプ構造部５５によって縦部材４７に結合されている。そして、このブラケット部材５７の側面に空気切換弁ユニット２００の基板２７がボルト等で結合されている。また、前記固定部材４８は空気切換弁ユニット２００の下端部よりも上側に配置されている。すなわち図１に示すように、上下方向の高低差Ｌが付与されている。【００５１】  図２（Ｅ）に示したクランプ構造部５５には補助板５８が固定され、この補助板５８に基板２７が結合されている。なお、図２（Ｄ），（Ｅ）には基板２７だけを図示し、切換弁３６の図示は省略してある。【００５２】  横部材４６には、結合部材５９を介して部品供給ユニット１００が固定されている。図１に示した結合部材５９は図示の都合上、横部材４６との貫通構造が図示されていないが、その点は図３に��されている。図３に示すように、クランプ部材５１は細長い直方体の形状とされ、その両側にクランプ構造部５５が形成されている。横部材４６が一方のクランプ構造部５５に結合され、ガイド筒１８に固定された断面円形の結合ロッド６０が他方のクランプ構造部５５に結合されている。【００５３】  クランプ構造部５５を緩めて、固定部材４８に対する縦部材４７、横部材４６に対する結合部材５９、結合部材５９に対する結合ロッド６０、縦部材４７に対するブラケット部材５７を回したり摺動させたりして、部品供給ユニット１００と固定電極８との位置関係や、空気切換弁ユニット２００と溶接機本体１２との位置関係が設定される。【００５４】  部品供給ユニット１００におけるエアシリンダ１９の長さは３４０ｍｍであり、上述のような各クランプ構造部５５の調整によって設定された空気ホースの長さは、空気ホース４２が５５０ｍｍであり、空気ホース４３が６８０ｍｍである。ナット供給テストの結果、空気ホースがこの程度の長さであれば、前述の遅れ時間は無視できる程度である。しかし、２０００ｍｍを超える長さになると、遅れ時間が過長となり前述の弊害が発生することが確認された。【００５５】  以上に説明した実施例１の作用効果は、つぎのとおりである。【００５６】  上述のように、空気切換弁ユニット２００が、部品供給ユニット１００を静止部材である溶接機本体１２に固定する取付け金具４５に取付けられている。したがって、空気切換弁ユニット２００の取付け箇所をエアシリンダ１９にできるだけ近づけて確保することが容易に実現し、前述のような空気切換弁ユニット２００の配置上の制約を解消することができる。そして、空気切換弁ユニット２００とエアシリンダ１９を接続する空気ホース４２，４３の長さが短くなり、それによって、空気切換弁ユニット２００の切換時点からエアシリンダ１９が始動するまでの遅れ時間を許容範囲内に短縮することができる。このようなことから溶接時間の短縮による生産性の向上と、与えられた所定時間内にナット１が前述のような動作ミスをすることなく、固定電極８のガイドピン９への安定した移載が確保できる。【００５７】  また、前記取付け金具４５に空気切換弁ユニット２００が取付けられているので、空気切換弁ユニット２００を固定電極８から離隔した箇所に配置することが容易にできる。したがって、両電極６，８に溶接電流が通電されるときに発生する周辺への強度の磁気的影響を回避することが可能となる。空気切換弁ユニット２００は電磁ソレノイド３８で動作するので、このような磁気的影響を回避することが重要である。さらに、溶接時のスパッタ飛散から空気切換弁ユニット２００を保護することが可能となる。【００５８】  前記取付け金具４５は、長尺な部材を所要の形状に屈曲させた形状とされ、少なくとも前記部品供給ユニット１００が取付けられる第１部材４６と、前記空気切換弁ユニット２００が取付けられる第２部材４７によって構成されている。【００５９】  このように長尺な部材によって第１部材４６と第２部材４７が構成され、これらにそれぞれ部品供給ユニット１００と空気切換弁ユニット２００が取付けられているので、部品供給ユニット１００のエアシリンダ１９と空気切換弁ユニット２００との間隔を短くすることができ、空気ホース４２，４３を短くすることが可能となる。また、取付け金具４５は所要の形状に屈曲されているので、部品供給ユニット１００と空気切換弁ユニット２００との相対位置関係を周辺の関連部材に適応した状態に設定することができる。【００６０】  前記第１部材４６は、ほぼ水平方向に配置した横部材４６であり、前記第２部材４７は、ほぼ鉛直方向に配置した縦部材４７である。【００６１】  上述のように、ほぼ水平方向の横部材４６に部品供給ユニット１００が取付けられ、ほぼ鉛直方向の縦部材４７に空気切換弁ユニット２００が取付けられている。したがって、部品供給ユニット１００と空気切換弁ユニット２００は横と縦との関係になった横部材４６と縦部材４７によって相対位置が設定できるので、エアシリンダ１９と空気切換弁ユニット２００とを接続する空気ホース４２，４３を短く設定することができる。さらに、空気切換弁ユニット２００が縦部材４７に取付けられているので、その位置を上方へ設定することにより、電極６，８の通電溶接部分から大幅に離隔させることができ、電極からの磁気的影響を回避することができる。同時に、前記離隔によって、スパッタが空気切換弁ユニット２００に到達することを防止することができ、空気切換弁ユニット２００の保護が適正になされる。【００６２】  前記第１部材４６と第２部材４７は、ほぼ直交した状態で一体化されている。【００６３】  前記第１部材４６と第２部材４７がほぼ直交しているので、この直交関係を基準にして空気切換弁ユニット２００と部品供給ユニット１００との相対位置関係を、所要の状態にすることが容易に実施できる。【００６４】  前記取付け金具４５を溶接機本体１２に取付ける固定部材４８は、前記第２部材４７に固定されている。【００６５】  空気切換弁ユニット２００が取付けられる第２部材４７の部分が、固定部材４８を介して溶接機本体１２に結合される。したがって、空気切換弁ユニット２００は固定箇所である固定部材４８に近い部位に結合されるので、空気切換弁ユニット２００全体の結合強度を高く維持することができ、装置全体の強度を向上させるのに効果的である。【００６６】  前記固定部材４８よりも上側の第２部材４７にブラケット部材５７が取付けられ、このブラケット部材５７に空気切換弁ユニット２００が取付けられている。【００６７】  このように空気切換弁ユニット２００は、固定部材４８よりも上側に配置したブラケット部材５７に結合されているので、空気切換弁ユニット２００を電極６，８からできるだけ離隔させて配置することができ、前述の磁気的影響やスパッタ飛散に対して効果的である。【００６８】  前記固定部材４８は空気切換弁ユニット２００の下端部よりも上側に配置されている。【００６９】  部品供給ユニット１００の取付けスペースを考慮すると、第２部材４７側に結合される関連部材すなわち空気切換弁ユニット２００や固定部材４８等はコンパクトにまとめる必要がある。上述のように、固定部材４８を空気切換弁ユニット２００の下端部よりも上側に配置することにより、つまり図１に示す高低差Ｌを付与することにより、固定部材４８の存在が部品供給ユニット１００���取付けスペースに制約を及ぼすことがなくなり、装置全体の小型化にとって有効である。【００７０】  取付け金具４５がＬ字型の部材であり、それに対する各部の取り付けが前記「クランプ構造部５５」によってなされている。したがって、クランプ構造部５５によって取付け位置の調整を行うことによって、部品供給ユニット１００と空気切換弁ユニット２００との相対位置関係を簡単に設定することができる。部品供給ユニット１００の供給ロッド１４の傾斜角度を調整して、部品供給ユニット１００と空気切換弁ユニット２００との相対位置を適正に維持しながら、ナット１が円滑にガイドピン９に移載されるようにすることができる。その結果、電気抵抗溶接機の部品供給装置における空気ホース４２，４３の長さを短くして、遅れ時間の短縮化された装置が成立する。
【産業上の利用可能性】
【００７１】  上述のように、本発明によれば、空気ホースの長さを短くして、前記タイムラグを許容範囲内におさめることのできる電気抵抗溶接機の部品供給装置がえられ、自動車の車体溶接工程や、家庭電化製品の板金溶接工程などの広い産業分野で利用できる。
【図面の簡単な説明】
【００７２】
【図１】溶接装置全体を示す正面図である。
【図２】空気切換弁ユニットの取付け状態と各部を示す図である。
【図３】結合部材の側面図と正面図である。
【図４】溶接装置全体を示す正面図である。
【符号の説明】
【００７３】  １    プロジェクションボルト
５    電気抵抗溶接機
６    可動電極
８    固定電極
９    ガイドピン
１２    溶接機本体
１４    供給ロッド
１９    エアシリンダ
２５    静止部材
２７    基板
３６    切換弁
４２    空気ホース
４３    空気ホース
４５    取付け金具
４６    第１部材、横部材
４７    第２部材、縦部材
４８    固定部材
５５    クランプ構造部
５７    ブラケット部材
５９    結合部材
Ｌ      高低差
１００  部品供給ユニット
２００  空気切換弁ユニット
【図１】
2008290147.tif 000003
【図２】
2008290147.tif 000004
【図３】
2008290147.tif 000005
【図４】
2008290147.tif 000006